(57)【要約】【課題】被検体の傾斜状態を目視により簡単に確認できる低コストで製作可能な傾斜検知器およびこれを備えた電力量計用メータボックスを提供する。【解決手段】被検体の長時間に渡る傾斜状態を検知するために該被検体（１２）に取り付けられて使用される傾斜検知器（１０）であって、所定の粘性を有する着色液剤（２）が入れられた液剤収容部（４）と、該液剤収容部の上部に配置された被着色体（６）を内包する透明な被着色部（８）と、を有し、前記被検体が非傾斜状態であるときには着色液剤と被着色体とは非接触状態を保ち、被検体が一定時間以上傾斜すると着色液剤が被着色体と接触して被着色体を着色する、ことを特徴とする。【選択図】  図１
2007205771.tif 000002
【特許請求の範囲】
【請求項１】
被検体の長時間に渡る傾斜状態を検知するために該被検体（１２）に取り付けられて使用される傾斜検知器（１０）であって、
所定の粘性を有する着色液剤（２）が入れられた液剤収容部（４）と、該液剤収容部の上部に配置された被着色体（６）を内包する透明な被着色部（８）と、を有し、
前記被検体が非傾斜状態であるときには着色液剤と被着色体とは非接触状態を保ち、被検体が一定時間以上傾斜すると着色液剤が被着色体と接触して被着色体を着色する、ことを特徴とする傾斜検知器。
【請求項２】
前記液剤収容部（４）と前記被着色部（８）とは分離されており、被着色部に液剤収容部を組み付けてから前記被検体に取り付けられる、ことを特徴とする請求項１に記載の傾斜検知器。
【請求項３】
前記液剤収容部（４）には着色液剤（２）が密封されて入れられており、被着色部（８）に該液剤収容部を組み付けることで液剤収容部が開封される、ことを特徴とする請求項２に記載の傾斜検知器。
【請求項４】
前記液剤収容部（４）および前記被着色部（８）とは、少なくとも被着色部の外周に位置することとなる部分が透明又は半透明な容器本体（１４）の内部空間に収容されて被検体（１２）に取り付けられる、ことを特徴とする請求項１乃至３のいずれか一項に記載の傾斜検知器。
【請求項５】
前記着色液剤（２）はインクであり、前記被着色体（６）は白色の濾紙である、ことを特徴とする請求項１に記載の傾斜検知器。
【請求項６】
前記被着色体（６）は、前記着色液剤（２）と化学反応することにより発色又は変色する、ことを特徴とする請求項１に記載の傾斜検知器。
【請求項７】
検針のための透明なメータカバー部（１６）の内部に請求項１乃至６のいずれかに記載の傾斜検知器（１０）を取り付けた、ことを特徴とする傾斜検知器を備えた電力量計用メータボックス。
【発明の詳細な説明】
【技術分野】
【０００１】
本発明は、傾斜検知器およびこれを備えた電力量計用メータボックスの技術に関し、より詳細には被検体の長時間に渡る傾斜状態を目視により簡単に確認することができる傾斜検知器およびこれを備えた電力量計用メータボックスに関するものである。
【背景技術】
【０００２】
電力量計は、電力会社からの電力が導かれる電源側電線と、需要家側に電力を導く負荷側電線との間に介在し、需要家の電気使用量を計量している。電力量計は、一般的に透明なメータカバー部を備えたメータボックス内に収容されて需要家側の所定の位置に固定されて設置される。
【０００３】
しかし、電力量計に何らかの細工を施して盗電を試みる不正行為がしばしば見られる。このような不正行為には、例えば、電力量計の端子部への不正行為や、メータボックスを故意に傾斜させて使用電気量を過少に計量させようというものがある。前者の不正行為を発見するための技術としては、例えば特許文献１の特開２００２−２５７８６２号公報の「電力量計」が提案されているが、後者の不正行為の発見には高価な傾斜センサを各電力量計に備える考案がされているにとどまっている。
【特許文献１】特開２００２−２５７８６２号公報
【発明の開示】
【発明が解決しようとする課題】
【０００４】
上述した後者の不正行為の発見は、傾斜センサが効果であることなどから現状では検針員の目視に依存しており、メータボックスの設置場所や地面の傾斜状態などの様々な悪条件によって、そのすべてを発見するのは容易なことではなかった。また悪意による不正行為では、検針員による検針の直前にメータボックスの傾斜が一時的に元に戻されることもあり、かかる場合には不正の発見が極めて困難であった。
【０００５】
本発明は、かかる問題点を解決するために創案されたものである。すなわち、本発明の目的は、被検体の長時間に渡る傾斜状態を目視により簡単に確認することができる一方、地震などによる短時間の被検体の傾斜は検知しない低廉な傾斜検知器およびこれを備えた電力量計用メータボックスを提供することにある。
【課題を解決するための手段】
【０００６】
上記目的を達成するため本発明は、被検体の長時間に渡る傾斜状態を検知するために該被検体（１２）に取り付けられて使用される傾斜検知器（１０）であって、所定の粘性を有する着色液剤（２）が入れられた液剤収容部（４）と、該液剤収容部の上部に配置された被着色体（６）を内包する透明な被着色部（８）と、を有し、前記被検体が非傾斜状態であるときには着色液剤と被着色体とは非接触状態を保ち、被検体が一定時間以上傾斜すると着色液剤が被着色体と接触して被着色体を着色する、ことを特徴とする傾斜検知器を提供する。
【０００７】
ここで、前記液剤収容部（４）と前記被着色部（８）とは分離されており、被着色部に液剤収容部を組み付けてから前記被検体に取り付けられることが好ましく、さらに、前記液剤収容部（４）には着色液剤（２）が密封されて入れられており、被着色部（８）に該液剤収容部を組み付けることで液剤収容部が開封されることが好ましい。
【０００８】
また、前記液剤収容部（４）および前記被着色部（８）とは、少なくとも被着色部の外周に位置することとなる部分が透明又は半透明な容器本体（１４）の内部空間に収容されて被検体（１２）に取り付けられることも好ましい。
【０００９】
なお、前記着色液剤（２）はインクであり、前記被着色体（６）は白色の濾紙であるか、または、前記被着色体（６）は、前記着色液剤（２）と化学反応することにより発色又は変色するものである。
【００１０】
また本発明は、検針のための透明なメータカバー部（１６）の内部に請求項１乃至６のいずれかに記載の傾斜検知器（１０）を取り付けた、ことを特徴とする傾斜検知器を備えた電力量計用メータボックスを提供する。
【発明の効果】
【００１１】
本発明の傾斜検知器は、所定の粘性を有する着色液剤を用いることで、短時間の被検体の傾斜は検知せず、長時間に渡る傾斜のみを検知することができる。また、被着色体が着色液剤によって着色されるため、被着色体の着色の有無の目視による判断が極めて容易となる。さらに本発明の傾斜検知器はその構成が非常に簡易であるため、その製造コストも安く、故障などもなく、そのランニングコストも必要としない。
また本発明の電力量計用メータボックスは、上記の傾斜検知器を取り付けたものであるので、メータボックスを故意に傾斜させて使用電気量を過少に計量させようとする不正行為を簡単に発見することができる。
【発明を実施するための最良の形態】
【００１２】
本発明の傾斜検知器は、種々の被検体の長時間に渡る傾斜状態を目視により簡単に確認するためのものであるが、主として盗電発見のために電力量計の長時間に渡る傾斜を発見することを目的としている。本実施例では、長時間に渡る電力量計の傾斜状態が維持された場合に、傾斜状態の目視による発見を簡易に行えるようにするための傾斜検知器およびこれを備えた電力量計用メータボックスを中心に説明する。
【実施例１】
【００１３】
以下、本発明の実施例１を図１および図２を参照して説明する。図１は、実施例１の傾斜検知器の斜視図であり、（ａ）は分解斜視図、（ｂ）は各部材を組み付けた状態を示した図である。
図１に示すように、本発明の傾斜検知器１０は、着色液剤２が入れられた液剤収容部４と、被着色体６を内包する透明な被着色部８とから構成されている。
【００１４】
液剤収容部４は、底部を閉口し上端部を開口する上下方向に伸長した直径が１ｃｍ程度、長さが２ｃｍ程度で、肉厚が１．５ｍｍ程度の中空の円柱形状を有し、その上端内周面には被着色部８に螺着するためのネジ溝１１が２ｍｍ程度の幅で形成されている。液剤収容部４の上端部の開口は上端内周面に形成されたネジ溝１１を利用して着脱することができるネジ蓋１３が取り付けられており、液剤収容部内には、ネジ溝の手前まで所定の粘性を有する着色液剤２が封入されている。所定の粘性を有する着色液剤２には、例えば、赤色や黄色、様々な蛍光色の水性インクなどが用いられる。ここで所定の粘性とは、例えば、着色液剤が入れられた液剤収容部４を鉛直方向から１５°程度傾けたときに、着色液剤の液面が水平状態をなすまでに、１〜６０分程度の時間を要する程度の粘性をいう。この粘性は、水性インクに適当な量のグリセリンなどを混入することで調節される。また着色液剤２に、シリコーンオイルに公知の着色顔料を溶解または分散させたものなども用いることもできる。この場合粘性の調節は、例えばシリコーン成分の分子量を調節することなどによって可能である。また着色顔料の分散のために、界面活性剤のような分散剤を添加してもよい。
ここで液剤収容部４の外周面の色は、着色液剤と同系色以外の色であることが好ましく、有色のプラスティック材料などにより液剤収容部を成型することもできる。例えば、白色以外の着色液剤を使用する場合には液剤収容部４全体を白色とすることが好ましい。
【００１５】
被着色部８は、底部を開口し上端部を閉口する上下方向に伸長した直径が１ｃｍ程度、長さが１ｃｍ程度で、肉厚が１．５ｍｍ程度の中空の円柱形状を有し、その下端外周面には液剤収容部４に螺着するためのネジ山１５が２ｍｍ程度の幅で形成されている。被着色部８の内周面には斜線で示したように、ネジ山１５の手前までその面に沿うようにして白色の濾紙が被着色体６として配置されている。被着色体６に白色の濾紙を採用したのは、視認性向上、取り扱い性、低コストの観点からであるが、これ以外のものを用いることも当然に可能である。
なお被着色部８は、透明ないし半透明を呈した部材からなり、例えばポリエチレン、ポリプロピレン、ポリカーボネート、アクリル樹脂等の材料を用いて成型することができる。
【００１６】
傾斜検知器１０は、液剤収容部４と被着色部８とを組み付けることで構成される。液剤収容部４と被着色部８との組み付けは、底部を下にして倒立させた状態で静置しておいた液剤収容部からそのネジ蓋１３を取り去り、液剤収容部のネジ溝１１と被着色部のネジ山１５とを螺合して両者を一体とすることで行われる。このとき液剤収容部４の着色液剤２の液面と被着色部８内の濾紙とは、ネジ付け部分の幅の２ｍｍ程度離隔した状態となっている。液剤収容部４と被着色部８とを一体に組み付けた傾斜検知器１０は、倒立を保った状態で電力量計などの被検体に取り付けられて使用される。なお液剤収容部４と被着色部８との組み付けは、嵌着構造によって行うこともできる。
【００１７】
図２は、本発明の傾斜検知器の動作を説明するための図である。図２（ａ）は被検体が非傾斜状態であるときの傾斜検知器の正面図であり、図２（ｂ）は被検体１２が傾斜状態であるときの傾斜検知器の正面図である。図２（ａ）に示すように、被検体が非傾斜状態であるときには、着色液剤２と被着色体６とは非接触状態にある。したがって当然のことながら被着色体６は着色されることがない。被検体１２が角度θで長時間傾斜した状態であるとき、着色液剤２の液面も、非傾斜状態の破線に対して角度θで傾斜し、その一部が被着色体６である濾紙と接触する。着色液剤２の液面が被着色体６に接触すると、毛細管現象により着色液剤が被着色体に広範囲に広がってこれを着色する。この着色を外部から容易に目視することができるので、容易に被検体の傾斜状態を検知することができる。なお被検体１２の傾斜による着色液剤２の液面の被着色体６方向への変動距離は、被検体の傾斜角度θの関数である。したがって、着色液剤２と被着色体６の距離は、被検体の傾斜をどの程度まで検知すべきかによって適宜決定すればよい。
【００１８】
ここで着色液剤２は所定の粘性を有するため、地震などによる短時間の傾斜によっては被着色体６が着色液剤によって着色されることがない一方、一度着色された被着色体はその傾斜状態が解消しても着色されたままであるため、例えば盗電の目的で電力量計を傾斜させ検針員の検針の直前にこれを元に戻す不正を行う者の行為も容易に発見することができる。なお液剤収容部４は、着色液剤２と同系色以外の色であるため、被着色体である濾紙が着色されるとその目視による確認が極めて容易である。
【実施例２】
【００１９】
図３は、本発明の実施例２の傾斜検知器の分解斜視図である。
図３に示すように、実施例２の傾斜検知器１０の基本構成は上記実施例１の傾斜検知器と同様であるが、液剤収容部４の上部開口が薄いフィルム１７によって塞がれており、内部の着色液剤がこぼれ出ないようになっている。また被着色部８の下端面には、高さ１ｍｍ程度の１つの鋭利な突起１９が形成されている。
【００２０】
液剤収容部４に被着色部８とを螺着して組み付けると、被着色部の突起１９が液剤収容部のフィルム１７を破り、被着色部の内部空間と液剤収容部の内部空間とが導通することとなる。なお被着色部８の下端面に突起１９を形成することなく、液剤収容部４のフィルム１７を取り去ってから液剤収容部と被着色部８との組み付けを行って傾斜検知器を構成することも勿論可能である。
【実施例３】
【００２１】
図４は、本発明の実施例３の傾斜検知器の斜視図である。
図４に示すように、本発明の実施例３の傾斜検知器３は、実施例１とほぼ同様の構成を有するものであるが、傾斜状態を検知したい傾斜方向（図４では紙面の前方向）における着色液剤２と被着色体６との離隔距離を短くしている。これは被検体によっては、左方向、右方向、前方向、後方向などいずれか一つの方向の傾斜状態をより重視すべき場合があり得るためである。例えば右方向の傾斜状態の検知を重視する場合は、図４に示すように右方向における被着色体６に下方延長部２１を設け、被着色体６との距離を短くすることで、被検体の前方向の傾斜状態を優先して検知するようにする。なお図４に示す例では、前方向、左方向、後方向の傾斜はそれほど重視していないので、その方向には延長部を設けていない。
【実施例４】
【００２２】
図５は、本発明の実施例４の傾斜検知器の分解斜視図である。
図５に示すように、実施例４の傾斜検知器１０は、実施例１とほぼ同様の構成を有する液剤収容部４および被着色部８を、下端面を開口し上端面を閉口する円筒状の容器本体１４の内部空間に収容したものである。
【００２３】
容器本体１４は、少なくとも被着色部８の外周に位置することとなる部分が透明又は半透明な容器であり、液剤収容部４の外周面が着色されていない場合には、液剤収容部４の外周に位置することとなる部分は、着色液剤と同系色以外の色（例えば白色）に着色されていることが好ましい。液剤収容部４の外周を着色液剤と同系色以外の色とすることで、被着色部８内の被着色体６が着色液剤２によって着色された際にその判別が容易となり、外部からのその視認を確実に行わせることができる。なお図５に示すように、被着色部内の下部に液剤収容部を嵌入させる構造とすることで、被着色部を容器本体と兼用させることも可能である。
【００２４】
容器本体１４への液剤収容部４および被着色部８の収容は、容器本体の下端面の開口からまず液剤収容部４を嵌入し、その下からさらに被着色部８を嵌入することで被着色部を容器本体の内部空間の奥深くまで入れ込むことによって行われる。嵌入後には液剤収容部４および被着色部８は容器本体１４の内部空間内に完全に収容され、その後に液剤収容部や被着色部を取り出すことはできない。このように液剤収容部４を容器本体１４に収容した後にはその取り出しを不可とすることで、不正による傾斜検知器の無力化を防止することができる。
なお液剤収容部４と被着色部８との組み付けは、ネジ構造によって行ってもよいし、嵌着構造によって行ってもよい。
【実施例５】
【００２５】
図６は、本発明の実施例５の傾斜検知器の斜視図である。
図６に示すように、実施例５の傾斜検知器１０では、実施例１とほぼ同様の構成ではあるが、傾斜検知器の内部空間が円筒形状ではなく逆円錐形状となっている。このように液剤収容部４および被着色部８により構成される傾斜検知器１０の少なくとも内部空間を円錐形状にすることにより、被検体が傾斜したときの着色液剤による被着色体の着色面積が大きくなり視認性が向上し、また着色液剤の使用量も減少するため低コスト化をさらに促進することができる。
【００２６】
また図面には表れないが、本実施例の被着色体６には、着色液剤２と化学反応することにより発色又は変色するものが使用される。具体的には被着色体６には青色リトマス試験紙を、着色液剤２には何らかの酸性溶液を用いる組み合わせ等、ＰＨによってその色彩を変化させる指示薬を染み込ませた濾紙と適当な酸性又はアルカリ性溶液などを用いることとする。ここで、酸性又はアルカリ性の着色液剤２は透明な溶液であり、また、液剤収容部も透明であることが好ましい。このように構成することで、被着色体６が化学反応によりその色彩を変化させた場合にその判別が容易となり、外部からの視認もより確実に行うことができるようになる。なお酸性又はアルカリ性の着色液剤２には揮発により被着色体６に化学変化をもたらさないものを使用する必要がある。
【実施例６】
【００２７】
図７は、本発明の傾斜検知器を備えた電力量計用メータボックスの側断面の概略図である。
この電力量計用メータボックス３０には、その検針のための透明なメータカバー部１６が備えられている。このメータカバー部１６の内面には、本発明の傾斜検知器１０を倒立状態で取り付けるためのリング状又はＵ字状のフック２３がメータカバー部１６と一体に形成されており、それ以外は従来から使用されているものと同様である。
【００２８】
傾斜探知器１０は着色液剤２と被着色体６との非接触を保った状態でメータカバー部１６内面のフックに取り付けられ、メータカバー部は同じく着色液剤と被着色体との非接触を保った状態で電力量計用メータボックスの本体に取り付けられる。その後、メータボックス本体とメータカバー部とは貼り直しが不可能な封印シールなどにより封印される（図示せず）。このように封印したメータカバー部１６の内面に傾斜探知器１０を取り付けることにより、電力量計を故意に傾斜させて使用電気量を過少に計量させようとする不正行為を抑制し、また不正行為があった場合にはこれを確実に検知・発見することができる。
【００２９】
以上説明したように本発明の傾斜検知器およびこれを備えた電力量計用メータボックスによれば、被検体の傾斜状態を目視により簡単に確認することができ、盗電などの不正行為の発見に非常に有効である。また低コストすることができるので、既存の電力量計にも容易に採用することができる。
【００３０】
なお、本発明の構成は上述した電力量計に関する実施の形態に限定されるものではなく、被検体の傾斜状態を簡単かつ低コストで確認できるものであれば、本発明の要旨を逸脱しない範囲で種々変更できることは勿論である。例えば被検体との固定を容易にするために、傾斜検知器の側面の一部を平坦にすることなども好ましい変更である。
【産業上の利用可能性】
【００３１】
本発明の傾斜検知器は、電力量計用メータボックス以外にも、電柱や各種計器などその設置状態の傾斜を検知する必要があるもの、特に、その設置状態が変化し長時間に渡る傾斜状態が生じた場合にこれを検知する必要があるもの全てに採用することができる。
【図面の簡単な説明】
【００３２】
【図１】実施例１の傾斜検知器の斜視図である。
【図２】本発明の傾斜検知器の動作を説明するための図である。
【図３】本発明の実施例２の傾斜検知器の分解斜視図である。
【図４】本発明の実施例３の傾斜検知器の斜視図である。
【図５】本発明の実施例４の傾斜検知器の斜視図である。
【図６】本発明の実施例５の傾斜検知器の斜視図である。
【図７】本発明の傾斜検知器を備えた電力量計用メータボックスの側断面の概略図である。
【符号の説明】
【００３３】
２  着色液剤
４  液剤収容部
６  被着色体
８  被着色部
１０  傾斜検知器
１２  被検体
１４  容器本体
１６  メータカバー部
１１  ネジ溝
１３  ネジ蓋
１５  ネジ山
１７  フィルム
１９  突起
２１  下方延長部
２３  フック
３０  電力量計用メータボックス
【図１】
2007205771.tif 000003
【図２】
2007205771.tif 000004
【図３】
2007205771.tif 000005
【図４】
2007205771.tif 000006
【図５】
2007205771.tif 000007
【図６】
2007205771.tif 000008
【図７】
2007205771.tif 000009